(57)【特許請求の範囲】
【請求項１】
流体試料中の分析対象物の濃度を測定するための、電気化学的センサであって、
１）電流の検出器と電気的に通じた対電極及び作用電極を上面に有して、流体試料の流路を備える非導電ベースと、
２）分析対象物と反応して電子を分析対象物と作用電極との間で移送させる媒介物と、酵素と、を含む、作用電極の上面の反応層と、
３）ベースと嵌め合わされると、毛管空間を形成し、そこに流体試料を導入するための開口を有するカバーと、を含み、
毛管空間は、流体試料のための流路を含み、作用電極及び対電極がその空間内に置かれて、対電極の大部分が作用電極よりも開口の下流に位置づけられ、対電極の近傍には、対電極と別個のサブエレメントが設けられ、サブエレメントは作用電極よりも上流にあり、サブエレメントと作用電極との間でのみ電気的導通が起こると、作用電極とサブエレメントとの間の電位の印加により、有効な試験を成り立たせるには不十分な電流が検出器中を流れ、
印加された電位の下で作用電極の表面で酸化を起こさせることができ、分析対象物の濃度の有効な測定を成り立たせる電流を検出器中に維持するには不十分である量で存在する電気活性材料を含むサブエレメントの使用を含むセンサ。
【請求項２】
絶縁ベースと、電気導体パターンと、作用電極及び対電極を含む電極パターンと、対電極のサブエレメントと、電極を部分的に覆う絶縁層と、反応層と、を含む、請求項１記載のセンサ。
【請求項３】
前記絶縁層が、反応層に対してサブエレメントの部分を露出させる、請求項２記載のセンサ。
【請求項４】
反応層が、ポリ（エチレンオキシド）と、酵素と、フェリシアン化物塩と、を含む、請求項２記載のセンサ。
【請求項５】
酵素がグルコースオキシダーゼである、請求項３記載のセンサ。
【請求項６】
電気活性材料が、Ａｇ、Ｃｕ、Ｍｎ、Ｐｂ、Ｈｇ、Ｎｉ、Ｃｏ、Ｂｉ、Ｒｅ又はＴｅの酸化物である、請求項１記載のセンサ。
【請求項７】
電気活性材料がＡｇＯである、請求項１記載のセンサ。
【請求項８】
対電極のサブエレメントの表面に銀が被着され、その場で酸化して酸化銀を形成している、請求項１記載のセンサ。
【請求項９】
電気活性材料が金属ハロゲン化物である、請求項１記載のセンサ。
【請求項１０】
対電極のサブエレメントが対電極の本体から物理的に切り離されており、対電極の本体を介して検出器に通じるそれ自体の接続を備えている、請求項１記載のセンサ。
【請求項１１】
対電極のサブエレメントと接触する試薬がない、請求項２記載のセンサ。
【請求項１２】
対電極の大部分が、開口、及び作用電極の少なくとも一部よりも下流に位置づけられた、請求項１記載のセンサ。
【請求項１３】
サブエレメントの領域が、作用電極の領域より小さい、請求項１記載のセンサ。
【請求項１４】
流体試料中の分析対象物の濃度を測定することを支援するために適合された電気化学的センサであって、
流体試料を導入するために開口を形成することを補助するベースと、
ベースに結合されている作用電極と、
ベースに結合されている対電極と、
ベースに結合され、対電極から物理的に切り離されており、印加された電位の下で作用電極の表面で酸化を起こさせることを可能とするために適合される電気活性材料を含むサブエレメントと、を含み、
対電極と作用電極とは、電流の検出器と電気的に通じるために適合されており、対電極の一部が、開口、及び作用電極の少なくとも一部よりも下流に位置づけられ、
対電極のサブエレメントが、開口を基準として作用電極よりも上流に位置づけられ、
サブエレメントと作用電極との間のみに電気化学的導通が起こったときに、流体試料中の分析対象物の濃度の有効な測定を成り立たせるには不十分な電流が検出器中を流れるようなセンサ。
【請求項１５】
ベースに結合されて毛管空間を形成し、毛管空間がそこに流体試料を導入するための開口を有し、毛管空間は流体試料のための流路を形成し、流路に作用電極と対電極が位置づけられるように適合されたカバーをさらに含む請求項１４記載の試験センサ。
【請求項１６】
電気化学的試験センサへ十分な量の流体試料が導入されたか否かを下記のセンサを用いて測定する方法であって、
上記のセンサは、ベース、作用電極、対電極及びサブエレメントを含み、
ベースは、流体試料を導入するための開口を形成することを補助し、
作用電極は、ベースに結合されており、
対電極はベースに結合されており、
対電極と作用電極は、電流の検出器と電気的に通じるために適合され、対電極の少なくとも一部が、開口、及び作用電極の少なくとも一部よりも下流に位置づけられ、
サブエレメントは、ベースに結合されており、対電極から物理的に切り離され、印加された電位の下で作用電極の表面で酸化を起こさせることができ、開口を基準として作用電極よりも上流に位置づけられ、
また、サブエレメントは、サブエレメントと作用電極の間のみで電気的導通が起こると、流体試料中の分析対象物の濃度の有効な測定を成り立たせるには不十分な電流が検出器中を流れるように適合される電気的活性材料を含み、
流体試料中の分析対象物の濃度を測定することを支援するために適合された上記の電気化学的センサを備える工程と、
このセンサに流体試料を導入する工程と、
十分な量の流体試料が導入されたか否か測定する工程と、
流体試料が不十分な量の場合には、不十分な量の流体試料が導入されたと使用者に知らせる工程とを含む方法。
【請求項１７】
ベースに結合されて毛管空間を形成し、毛管空間がそこに流体試料を導入するための開口を有し、毛管空間は流体試料のための流路を形成し、流路に作用電極と対電極が位置づけられているように適合されたカバーを、センサがさらに含む請求項１６記載の方法。
【発明の詳細な説明】
【０００１】
【発明の属する技術分野】
本発明は、分析対象物、たとえば血中グルコースの測定に使用することができる電気化学的バイオセンサに関する。
【０００２】
【従来の技術】
考察するタイプの電気化学的バイオセンサは、米国特許第５，１２０，４２０号及び第５，７９８，０３１号に開示されている。これらの装置は、炭素電極がプリントされたのち、分析対象物に特異的なオキシドレダクターゼと組み合わされた親水性材料を含む試薬層で覆われる絶縁ベースを有する。これらの装置は通常、スペーサエレメントとしての略Ｕ字形の部品によって分けられたベースとカバーを含むか、’０３１特許の場合には、エンボス加工されたカバーを使用して、ベースとカバーとが嵌め合わされると、電極及び試薬層を含む毛管空間が形成されるようになっている。水性試験流体をこの毛管空間に引き込みやすくするため、親水性ポリマー、たとえばカルボキシメチルセルロース又はポリ（エチレンオキシド）が使用される。
【０００３】
いずれの実施態様でも、作用電極及び対電極がベース上にスクリーンプリントされて、これらの電極が電気的に接続され、それらの間に電位が発生すると、電気化学的に発生する電流が流れるようになっている。センサの端部の開口を試験流体、たとえば血液の滴に触れさせると、その流体は毛管空間に引き込まれて、電極表面の反応層を覆うようになる。オキシドレダクターゼと分析対象物との間の酵素反応が電子の流れを生じさせ、これらの電子が媒体、たとえばフェリシアン化物によって作用電極に運ばれ、作用電極を通過して、電流の大きさを計測する計器に達する。対電極は二つの目的に役立つ。第一に、作用電極が制御されることに対して一定の電位を提供する。第二に、２電極システム、たとえば図示するシステムの場合、電気回路を完成させるために対電極が使用される。このモードでは、作用電極に移送される各電子がセルの対電極側で試験流体に戻される。装置のソフトウェアは、この電流の大きさを試料中の分析対象物の濃度と相関させるようにプログラムされている。この電流を流すために、両電極を導電性流体試料で覆い、それらの間に電位を印加することによって完全な回路を形成する。
【０００４】
このタイプのセンサにときどき伴うことがある一つの問題は、不十分な量の血液しか開口に塗布されず、その結果、対電極及び作用電極が試料で完全には覆われないときに起こる。これは、電極間を流れる不完全な電流を生じさせ、検出される分析対象物の量は検出計器中を流れる電流に正比例するため、センサの電極を完全に覆うことができないと、試料の分析対象物の濃度の読み取り値を人為的に低くするおそれがある。この充填不足の問題を扱うための一つの技術が、試料の量が少なすぎて正確な読み取り値を提供することができない場合に応答が検出されないようにするための機構を含む米国特許第５，６２８，８９０号で論じられている。
【０００５】
同時係属出願第０９／７３１，９４３号には、非作用電極の小さなサブエレメントが作用電極よりも上流に位置付けられて、検出器を流れる電流が流体試料中の分析対象物の濃度の有効な試験を成り立たせるには不十分であるとき、事前にプログラムされた検出器がエラー信号を発生して、試験結果を無視すべきであることを装置の使用者に警告する上記タイプの電気化学的センサが開示されている。これは、センサの毛管空間が充填不足である場合に、変わった電流プロフィールが生成されるために達成可能である。しかし、この装置では、まっすぐな炭素サブエレメントによって運ばれるトリッピング電流が、必要な電位に達するのにいくらか時間を要し、それにより、試験の期間を増大させる。
【０００６】
【課題を解決するための手段】
本発明は、流体試料中の分析対象物、たとえば血中グルコースの濃度を測定するための電気化学的センサに対する改良である。本センサは、
１）電流の検出器と電気的に通じた対電極及び作用電極を上面に有する、流体試料の流路を提供する非導電ベースと、
２）酵素と、分析対象物と反応して電子を分析対象物と作用電極との間で移送させる媒介物とを含む、少なくとも作用電極の表面上の反応層と、
３）ベースと嵌め合わされると、流体試料を導入するための開口を有する毛管空間を形成するカバーと
を含み、作用電極及び対電極が毛管空間内に位置して、対電極の大部分が作用電極よりも開口の下流に位置し、対電極のサブエレメントが作用電極よりも
上流にあり、対電極のサブエレメントと作用電極との間でのみ電気的導通が起こると、有効な試験を成り立たせるには不十分な電流が検出器中を流れるようになっている。
【０００７】
センサに対する改良は、電気活性材料を含む対電極のサブエレメントの使用を含む。電気活性材料は、印加される電位の下で作用電極で酸化を起こさせるのに十分なほど（電気）陽性であり、かつ、分析対象物の濃度の有効な測定を成り立たせる電流を検出器中に維持するには不十分である量で存在する。
【０００８】
【発明の実施の形態】
本発明に関連する電気化学的センサの構造を図１によって示す。図１を参照すると、本発明のセンサは、種々の組成のインクを使用する数回のプリントパスによって製造される。センサ３４は、絶縁ベース３６の上に、導電リード（３８）からなる導電パターン及び対電極サブエレメント４０ａを順に（通常はスクリーンプリント技術によって）プリントしたもので構成されている。
【０００９】
図中、このサブエレメント４０ａは、別個のユニットであるが、導電リード（３８）に達する連続したトレースを形成してもよい。次に、３９が作用電極であり、４０が対電極である電極パターンを製造する。サブエレメントを反応層４４に露出させるためのスロット４１を有する絶縁（誘電）パターン４２で、電極は覆われている。反応層の機能は、流体試料中のグルコース又は他の分析対象物を、化学種へと化学量論的に転換することであり、化学種は、電極パターンの成分によって生成され、電極パターンによって電気化学的に計測可能である。反応層は通常、分析対象物と反応して可動性電子を生成する酵素と、可動性電子を作用電極の表面に運ぶための電子受容体（媒介物）、たとえばフェリシアン化物と、を含有する。反応層中の酵素は、親水性ポリマー、たとえばカルボキシメチルセルロース又はポリ（エチレンオキシド）と組み合わせることができる。電極プリントの二つの部分３９及び４０が、本発明の要点である、分析対象物の電気化学的測定に必要な作用電極３９及び対電極４０を提供する。作用電極及び対電極は、対電極の大部分が作用電極４０の前方部よりも下流（流路に沿って流体が流れる方向を基準にして）に位置するような方法で配置されている。この配置は、検出されない部分的な充填が起こったすべての場合でも試験流体が作用電極の露出部分を完全に覆うことを可能にする利点を提供する。しかし、対電極のサブエレメント４０ａが作用電極３９の前方エレメントよりも上流に位置付けられており、そのため、作用電極を完全に覆うのには不十分な量の流体試料が毛管空間に入ると、流体試料、たとえば血液の導電性により、対電極サブエレメント４０ａと作用電極の上部の露出部分との間に電気的接続が形成されるようになっている。電流検出器が受けた電流プロフィールが所定レベルに満たないときには、電流検出器がエラー信号を出すようにプログラムすることにより、本センサシステムは、不十分な血液しかセンサのキャビティに入っていないことと、分析対象物濃度の試験をもう一度実施すべきであることと、を使用者に積極的に忠告するように設計することができる。システムは、充填不足の場合、毛管空間が完全に充填されている場合に得られる電流プロフィールとは異なる、毛管空間が充填不足である場合の電流プロフィールを生成することにより、エラー信号を出すように設計されている。しかし、この設計は、検定を起動するためには、望まれるよりも多大な時間を要することがわかった。この遅延は、電極によって生成される低めの初期電流が原因で生じ得る。今、分析対象物の濃度の有効な測定を成り立たせるための電子の流れを検出器中に維持するのには不十分である量で存在する電気活性材料を含むインクで対電極のサブエレメントをプリントすることにより、この遅延を短縮又は解消することができることを見いだした。逆に、サブエレメントは、計器のタイミングシーケンスを開始させるのに十分な電子を検出器に流すことができるように設計されている。
【００１０】
「電気活性材料」とは、印加される電位の下で、作用電極で酸化を生じさせるのに十分に陽性である材料をいう。適当な電気活性材料は、ＡｇＯ又は他の電気陽性金属酸化物、たとえばＣｕ、Ｍｎ、Ｐｂ、Ｈｇ、Ｎｉ、Ｃｏ、Ｂｉ、ＲｅもしくはＴｅの酸化物又はこれらの金属から製造される化合物を含む。使用することができる電気陽性材料の他のクラスは、上述したものを含む金属の酸化物及び当該金属のハロゲン化合物である。たとえば自己酸化によって電気陽性金属酸化物を形成することができる金属を、対電極のサブエレメントに被着したのち、その場で酸化させて金属酸化物を形成することもできる。
【００１１】
電気陽性材料の唯一の要件は上述したとおりである。したがって、電気陽性金属の化合物、たとえばＡｇＣｌを使用することができる。理由は、塩化物を含有する流体試料、たとえば血漿又は全血をサブエレメントと接触させると、ＡｇをＡｇＣｌ種に転換することができるからである。この実施態様は、電極表面に酸化銀層を形成するための二次的な操作を要しない利点を提供する。
【００１２】
本発明のセンサは、異なる組成のインクを使用する数回のスクリーンプリントパスを使用して構成される。１回目のパスのインクは、導電リード（３８）として働くのに十分に低い抵抗の材料を含み、かつ図１に示す対電極（４０ａ）のサブエレメントを形成する電気陽性材料を含有する。２回目のパスは、通常、炭素、黒鉛、パラジウム又は白金を組み込む材料を含む電極３９及４０を設ける。電気陽性材料は、酸化性金属、たとえば上述した金属の１種であることができる。一例として、銀を使用するときは、サブエレメントの表面の銀は、インクの硬化によって又は二次的な酸化工程によって酸化される。この酸化銀が、同じく作用電極に達する血液試料と接触すると、計器のタイミングシーケンスを開始するためのトリッピング電流を発生させるのに必要な正電位を生じさせる。しかし、サブエレメント（トリガ）は、反応層から発生する全電流を支持することはできず、その結果、検出器は、有効な試験を成り立たせるのに十分な試験流体を毛管空間に収容しなかったと判断する。
【００１３】
電極の具体的な寸法は重要ではないが、対電極のサブエレメントの面積は通常、作用電極の面積よりも小さい。このエレメントは、スクリーンプリント法の制約を考慮して、できるだけ小さく作られる。流体試料にさらされる面積は、誘電層４２をプリントすることによってさらに小さくすることができ、その結果、非常に小さな部分（作用電極の面積の２％〜７％）を露出させるだけで、対電極のサブエレメントを提供する。一つの実施態様では、対電極のサブエレメント４０ａ上に試薬インクをプリントしないままにして、サブエレメントから試薬を不足させる目的を果たし、それにより、サブエレメントが適切な対電極として機能することを許さないスクリーンを設けることにより、反応層４４を対電極のサブエレメント４０ａと接触させないこともできる。試験流体が対電極４０の大部分と接触することができない場合にエラー条件が達成されるよう、これが好ましい。
【００１４】
図では、サブエレメント４０ａは、導電リード（３８）の残りから物理的に切り離されているように描写されているが、導電リード（３８）に物理的に接続されて、対電極側に一つの連続経路を形成させることもできる。サブエレメントが対電極の本体から物理的に切り離されている実施態様では、サブエレメントは、対電極の本体を介して検出器に通じる独自の接続を備える。
【００１５】
プリントされた電極の二つの部分３９及び４０が、分析対象物の電気化学的測定に必要な作用電極及び対電極を提供する。厚さ約１４μmである電極インクは通常、電気化学的に活性な炭素を含有する。導体インクの成分は、好ましくは、炭素と銀との混合物であり、これは、電極と検出器との間に低い電気抵抗の経路を設けるように選択され、電極が図示するタイプのセンサの魚尾状端部４５の導電パターンとの接触を介して動作的に接続される。対電極は銀／塩化銀からなることができ、その場合、むしろ参照電極のように機能する。誘電パターン４２の機能は、電極パターンの中央の近くの画定区域を除き、電極を流体試料から絶縁して、検出器の読み取り値の再現精度を高めることである。計測される電流は、分析対象物の濃度と、試料に含まれる分析対象物にさらされる反応層の面積との両方に依存するため、画定区域はこのタイプの電気化学的測定に重要である。典型的な誘電層４２は、厚さ約１０μのＵＶ硬化アクリル酸改質ポリメタンを含む。
【００１６】
図１において、毛管空間は、種々の層をプリントしたのち、エンボス加工したふた４６をベース３６と嵌め合わせることによって形成される。試験流体を毛管に引き込むことができるよう、出口５０が通気口として働く。
【００１７】
【実施例】
以下の例によって本発明をさらに説明する。
例Ｉ
金属酸化物／金属ハロゲン化物構造への金属の転換
ポリマー厚膜（ＰＴＦ）の種々の層を使用して作用センサを形成して、センサを構成した。導電リード及びトリガサブユニットを、高い導電性のための金属顔料を使用する標準導電性ＰＴＦからプリントした。この場合、費用の利点から熱可塑性銀／黒鉛ＰＴＦを使用し、空気炉中で硬化させた。標準炭素／黒鉛ＰＴＦを使用して作用電極及び対電極をプリントし、標準ＵＶ又は従来の誘電ＰＴＦを使用して区域を画定した。ＰＴＦの硬化がＰＴＦ表面上で銀を酸化銀に転換させた。米国特許第５，４２９，７３５号に開示されているように、作用電極表面の性能を改善するために現在使用されている酸素プラズマ法を使用して、トリガサブ電極の表面上に残る銀をさらに転換した。このプラズマ法はまた、金属と反応できて金属ハロゲン化物を表面に形成するハロゲン化物ガスを使用することもできる。あるいは、炭素／黒鉛電極の性能に悪影響を及ぼさない限り、銀を酸化させることができるいかなる湿式化学反応を使用してもよい。次に、専用の試薬ＰＴＦでセンサをプリントして作用ベースを形成した。そして、ふたを取り付けてセンサの作用セルを形成した。
【００１８】
例II
金属酸化物構築
トリガＰＴＦが金属酸化物又は金属ハロゲン化物をその中に組み込んだ種々のＰＴＦ層を使用してセンサを構成した。このシステムの利点は、転換されることを必要とせずに、必要な電気陽性材料を形成することである。この例では、導電リードを形成するため、ＡｇＯ及び黒鉛を使用して特殊ＰＴＦインクを製造した。その後の空気硬化又はＯ2プラズマ処理の間にＡｇＯが形成されないことを除き、このインクを上で述べたように同様にスクリーンプリントした。例Ｉと同様に、電極及び誘電ＰＴＦをプリントし、硬化させた。
【００１９】
ＰＴＦの製造には他の金属酸化物を使用することもできるが、酸化物の導電性に依存して、導電リードとしては十分に機能しないかもしれず、その場合には、導電リードからの別個のプリントが必要になるであろう。これは、さらなるプリント層を必要とすることで、センサの製造費を増すであろう。
【００２０】
例III
通常はポリカーボネートからなるベースストックに種々のインクをプリントして電極３９及び４０を形成したのち、流体試料がふた４６とベース３６との嵌め合いによって形成される空間に入るときに、流体試料との接触にさらされる電極の所望の面を残すように設計された所定のパターンで誘電層４２を、オーバコートした。図１に示す誘電層４２の具体的な構造は、開口４３が試薬層を電極３９及び４０と電気的に通じた状態のままにし、すべての導電エレメント（作用電極、参照電極及びサブエレメント電極）が試験流体にさらされる範囲を画定するように設計した。プリントされた導電的な特徴に加えて、誘電層は、それらのエレメントそれぞれのサイズを決定する。電極は、好ましくは、導電層及び誘電層が互いに対して９０°に近くなるようにプリントした。いずれかのプリントがエレメントのまわりにずれたとしても画定は不変のままであり、位置合わせの問題を軽減するため、これは、センサを構築するための許容差の積み重ねに役立つ。
【００２１】
図１に示すようなトリガ電極を有するセンサ２個（１個は炭素製のトリガ電極を有し、他方はＡｇ／ＡｇＯを含む）を次のように調製した。
【００２２】
炭素トリガ電極
DuPont 5085  Ａｇ／黒鉛導電ＰＴＦインクを使用してポリカーボネートベースをプリントし、標準強制空気トンネル又はＩＲトンネルオーブンのいずれかを使用して硬化させて、導電リード３８を形成した。そして、DuPont 7102T  ＰＴＦインクを使用して電極３９、４０及び４０ａをプリントした。強制空気トンネル又はＩＲトンネルオーブンのいずれかを使用してこのインクを硬化させることができた。誘電インクを被着して作用、参照及びトリガ電極区域を画定した。そして、センサをＯ2プラズマ処理に付して電極表面を改善した。
【００２３】
Ａｇ／ＡｇＯトリガ
この実施態様では、トリガ電極４０を導電リード３８とともにＡｇ／黒鉛ＰＴＦインクでプリントすることを除き、炭素トリガの場合と同じ方法でセンサを製造した。
【００２４】
DuPontのＰＴＦインク（5085及び7102T）の空気硬化により、トリガ電極の表面でＡｇをＡｇＯに転換した。電極効率を高めるために使用したＯ2プラズマにより、トリガ電極の表面に残留するＡｇをさらに酸化させた。
【００２５】
対電極サブユニットがトリッピング電流に達するのに要する時間を測定することにより、これらのセンサを試験した。試験のタイミングシーケンスを開始するためには計器が最小しきい電流を得ることを要した。完全充填状況では、媒介物は対電極の表面にあり、グルコースの転換がすぐに始まってしきい電流を超える電流を発生させる。充填不足状況では、媒介物はトリガ電極から数千分の２５．４ミリメートル（数千分の１インチ）離れて位置する。グルコースの転換が起こると、媒介物は拡散してトリガ電極に達し、計器タイミングシーケンスを開始させるのに必要なしきい電流を発生させる。ＡｇＯ又は他の電気陽性種は炭素よりも高い電位を有し、したがって、しきい電位にするために要する時間は減る。トリガ電極は、反応の全負荷を担うのに十分な大きさではなく、したがって、対電極としては適さない。電流プロフィールをモニタして充填不足状態を検出し、使用者にエラー信号を出すアルゴリズムで計器を事前にプログラムした。既知量の血液（この場合は１．０及び１．５μl）をセンサに接種して充填不足状態を発生させることにより、カウントダウン効率と呼ぶ結果を計算した。これらの量は、実験により、作用電極を部分的又は完全に覆うように決定した。サンプル接種から計器がそのカウントダウンを開始するまでに要した時間をカウントダウン効率として計測した。
【００２６】
図２に提示するデータから、炭素トリガは充填不足状態を決定するのに有効であるが、使用者は、計器がエラーを報告するまでに概して１秒〜３分の間待たなければならないことを明らかにすることができる。本発明は、エラー検出に要する時間を、充填不足の程度に依存して、１秒〜１分未満に減らすということがわかった。
【００２７】
Ａｇ／ＡｇＯの場合、１．０μlで、試験したセンサの７０％が即座にトリッピングし、残り３０％が１分未満にトリッピングした。１．５μlでは、センサの１００％が即座にトリッピングした。
【００２８】
炭素の場合、１．０μlで、８４％が１分未満にトリッピングしたが、１６％は、３分後に計器がエラーを起こすまでトリッピングすることはなかった。１．５μlでは、１００％が１分以内にトリッピングした。
【図面の簡単な説明】
【図１】本発明のセンサの分解図である。
【図２】本発明にしたがって製造されたセンサ及び標準技術にしたがって製造されたセンサの機能を表すグラフである。
【図１】
0003999148.tif 000002
【図２】
0003999148.tif 000003